(57)【要約】      （修正有）【課題】ケージの爪と光送受信器のロック部とのロックを解除する時にアクチュエータが破損することを防止できる光送受信器のラッチ機構を提供する。【解決手段】光送受信器１が挿抜自在に挿入されるケージ４２の爪４３に係合するロック部と、ロック部を光送受信器１内に没入させて係合を解除するためのアクチュエータ１２とを有する光送受信器１のラッチ機構１０であって、アクチュエータ１２は、ロック部が設けられ揺動する揺動部と、揺動部を軸支する揺動軸と、揺動部を光送受信器１内方に揺動させることによりロック部を光送受信器１内に没入させるための操作部とを有する。【選択図】        図１
2004356427.tif 000002
【特許請求の範囲】
【請求項１】
光送受信器が挿抜自在に挿入されるケージの爪に係合するロック部と、該ロック部を上記光送受信器内に没入させて係合を解除するためのアクチュエータとを有する光送受信器のラッチ機構であって、上記アクチュエータは、上記ロック部が設けられ揺動する揺動部と、該揺動部を軸支する揺動軸と、上記揺動部を上記光送受信器内方に揺動させることにより上記ロック部を上記光送受信器内に没入させるための操作部とを有することを特徴とする光送受信器のラッチ機構。
【請求項２】
上記爪は、上記ケージに上記光送受信器の挿入方向に延出しつつケージの内方へ傾斜して、かつ、外方へ向けて弾性的に屈曲可能に設けられ、上記ロック部は、上記揺動部の挿入方向側の端部に、挿入方向側から上記爪の延出端に当接するように設けられた請求項１記載の光送受信器のラッチ機構。
【請求項３】
上記操作部は、上記揺動軸から上記光送受信器の抜き方向側へ延びる上記揺動部の端部からなり、上記光送受信器は、光送受信器本体に上記揺動軸と交差する軸回り回動自在に設けられ上記操作部を光送受信器の外方へ押すためのレバーを有する請求項１又は２記載の光送受信器のラッチ機構。
【請求項４】
ケージに挿抜自在に挿入される光送受信器に形成され、ケージに挿抜方向に延出しつつ内方に傾斜して設けられた弾性を有する爪に係合するロック部と、該ロック部と上記爪との間に挿入され上記爪を上記光送受信器の外方に押し出して係合を解除するためのアクチュエータとを有する光送受信器のラッチ機構であって、上記アクチュエータは、上記爪と上記ロック部との間に挿抜自在に設けられ上記爪の内面に沿って傾斜するテーパ部と、該テーパ部を光送受信器の挿入方向に押圧することにより上記爪を上記光送受信器の外方に押し出すための押圧部とを有することを特徴とする光送受信器のラッチ機構。
【請求項５】
ケージに挿抜自在に挿入される光送受信器に形成され、ケージに設けられた弾性を有する爪に係合するロック部と、上記爪を上記光送受信器の外方に押し出して係合を解除するためのアクチュエータとを有する光送受信器のラッチ機構であって、上記アクチュエータは、上記ロック部と係合した爪の内側で揺動する揺動部と、該揺動部を軸支する揺動軸と、上記揺動部を上記光送受信器の外方に揺動させることにより上記爪を上記光送受信器の外方に押し出すための操作部とを有することを特徴とする光送受信器のラッチ機構。
【発明の詳細な説明】
【０００１】
【発明の属する技術分野】
本発明は、通信機器の基板に設けられたケージに挿抜自在に挿入される光送受信器に係り、特にパッケージをケージに挿入した後、締結解除可能にロックするための光送受信器のラッチ機構に関するものである。
【０００２】
【従来の技術】
図１８はパッケージを通信機器に装着した状態の斜視図である。
【０００３】
図１８に示すように、光送受信器などのパッケージ５０は、光ファイバ（図示せず）と通信機器４０との間に介設され光ファイバから受信した光信号を電気信号に変換して通信機器４０側に送信するか、または通信機器４０から受信した電気信号を光信号に変換して光ファイバ側に送信するものである。この光送受信器５０は、内部の光学素子や電気素子に不具合が生じたときや、通信仕様（光波長や変調方式など）を相手と整合させるときなどに対応するため、通信機器４０に対して着脱自在になっている。
【０００４】
さらに、図１９に示すように、光送受信器５０は、通信機器の基板４１に設けられたケージ４２に挿抜自在に挿入された後、ロックできるようにラッチ機構６０を有している。
【０００５】
ケージ４２は、前方から光送受信器５０を挿抜できるように前方が開放された前後に長い箱形に形成されている。ケージ４２の左右両側には、内部に挿入された光送受信器５０の筐体５１の後述するロック部に引っ掛かって光送受信器５０の抜き方向の移動を規制するための爪４３がそれぞれ形成されている。爪４３は、ケージ４２の左右の側面が一部切り込まれ後方へ延びると共にケージ４２の内方に向かって傾斜した板バネで形成されている。
【０００６】
光送受信器５０は、挿抜方向（前後方向）に長い略直方体状に形成されており、抜き方向の端（前端）に光ファイバコネクタ（図示せず）を着脱自在に装着するためのソケット５３を有する。
【０００７】
図２０に示すように、光送受信器５０のラッチ機構６０は、ケージの爪に係合されるロック部６１と、ロック部６１と爪とによるロックを解除するためのスライド部材（以下「アクチュエータ」と称する。）６２とで構成されている。
【０００８】
ロック部６１は、光送受信器の筐体５１の両側に形成された窪み５２からなり、窪み５２内に入った爪の自由端（後端）に底が当たるようになっている。
【０００９】
アクチュエータ６２は、筐体５１の前後方向にスライド自在に設けられ、爪の延出方向に対向するように傾斜したテーパ面６３を有し、窪み５２内から爪を掻き出すためのテーパ部６４を備えている。
【００１０】
そして、図２１（ａ）、図２１（ｂ）に示すように、アクチュエータ６２は、筐体５１の前側に位置されて左右に延びる取手６５（図１９参照）を有し、爪４３の延出方向と反対方向に取手６５を引くことで窪み５２内にテーパ部６４をスライドさせるようになっている。
【００１１】
さらに、図２２（ａ）、図２２（ｂ）に示すように、アクチュエータ６２は、テーパ部６４が窪み５２内にスライドすることで、爪４３を窪み５２から矢印方向に掻き出してロックを解除するようになっている（例えば、特許文献１参照。）。
【００１２】
【特許文献１】
米国特許第６４３９９１８Ｂ１号明細書
【００１３】
【発明が解決しようとする課題】
しかしながら、アクチュエータ６２のテーパ部６４は、部材として小さく、さらに爪４３の延出方向と対向するようにテーパ面６３が形成されているため、爪４３に対してテーパ部６４をスライドさせたときに大きな摩擦力が発生し、この摩擦力によってテーパ面６３に傷が付いたり、テーパ部６４に応力が集中して縁部が破損する虞があった。
【００１４】
そこで、本発明の目的は、ケージの爪と光送受信器のロック部とのロックを解除する時にアクチュエータが破損することを防止できる光送受信器のラッチ機構を提供することにある。
【００１５】
【課題を解決するための手段】
上記課題を解決するために請求項１の発明は、光送受信器が挿抜自在に挿入されるケージの爪に係合するロック部と、該ロック部を上記光送受信器内に没入させて係合を解除するためのアクチュエータとを有する光送受信器のラッチ機構であって、上記アクチュエータは、上記ロック部が設けられ揺動する揺動部と、該揺動部を軸支する揺動軸と、上記揺動部を上記光送受信器内方に揺動させることにより上記ロック部を上記光送受信器内に没入させるための操作部とを有するものである。
【００１６】
請求項１の構成によれば、揺動部が光送受信器内方に揺動されることによりロック部が光送受信器内に没入するので、爪とロック部との係合が解除される。
【００１７】
上記爪は、上記ケージに上記光送受信器の挿入方向に延出しつつケージの内方へ傾斜して、かつ、外方へ向けて弾性的に屈曲可能に設けられ、上記ロック部は、上記揺動部の挿入方向側の端部に、挿入方向側から上記爪の延出端に当接するように設けられるとよい。
【００１８】
また、上記操作部は、上記揺動軸から上記光送受信器の抜き方向側へ延びる上記揺動部の端部からなり、上記光送受信器は、光送受信器本体に上記揺動軸と交差する軸回り回動自在に設けられ上記操作部を光送受信器の外方へ押すためのレバーを有するとよい。
【００１９】
請求項４の発明は、ケージに挿抜自在に挿入される光送受信器に形成され、ケージに挿抜方向に延出しつつ内方に傾斜して設けられた弾性を有する爪に係合するロック部と、該ロック部と上記爪との間に挿入され上記爪を上記光送受信器の外方に押し出して係合を解除するためのアクチュエータとを有する光送受信器のラッチ機構であって、上記アクチュエータは、上記爪と上記ロック部との間に挿抜自在に設けられ上記爪の内面に沿って傾斜するテーパ部と、該テーパ部を光送受信器の挿入方向に押圧することにより上記爪を上記光送受信器の外方に押し出すための押圧部とを有するものである。
【００２０】
請求項４の構成によれば、テーパ部が光送受信器の挿抜方向に押圧されることにより爪が光送受信器の外方に押し出されるので、爪とロック部との係合が解除される。
【００２１】
また、請求項５の発明は、ケージに挿抜自在に挿入される光送受信器に形成され、ケージに設けられた弾性を有する爪に係合するロック部と、上記爪を上記光送受信器の外方に押し出して係合を解除するためのアクチュエータとを有する光送受信器のラッチ機構であって、上記アクチュエータは、上記ロック部と係合した爪の内側で揺動する揺動部と、該揺動部を軸支する揺動軸と、上記揺動部を上記光送受信器の外方に揺動させることにより上記爪を上記光送受信器の外方に押し出すための操作部とを有するものである。
【００２２】
請求項５の構成によれば、揺動部が光送受信器の外方に揺動されることにより爪が光送受信器の外方に押し出されるので、爪とロック部との係合が解除される。
【００２３】
【発明の実施の形態】
次に、本発明の実施の形態を添付図面に基づいて詳述する。
【００２４】
図１は本発明の一実施の形態を示すラッチ機構を有するパッケージの斜視図である。
【００２５】
図１に示すように、光送受信器であるパッケージ１は、通信機器の基板４１に設けられたケージ４２に挿抜自在に挿入された後、ロックできるようにラッチ機構１０を有している。
【００２６】
ケージ４２は、前方からパッケージ１を挿抜できるように、前方が開放された前後に長い箱形に形成されている。ケージ４２の左右両側には、内部に挿入されたパッケージ１の後述するロック部に引っ掛かってパッケージ１の抜き方向の移動を規制するための爪４３がそれぞれ形成されている。爪４３は、ケージ４２の左右の側面が一部切り込まれ後方へ延びると共にケージ４２の内方に向かって傾斜した板バネで形成されている。そして爪４３は、ケージ４２の外方へ押されることで弾性的に屈曲するようになっており、延出端をパッケージ１の抜き方向へ押す力に対しては変形しづらいようになっている。
【００２７】
パッケージ１は、挿抜方向（前後方向）に長い略直方体状でかつケージ４２に挿抜されたときに爪４３が滑らかに摺動する幅に形成された筐体２を有している。筐体２は、抜き方向の端（前端）に光ファイバコネクタ（図示せず）を着脱自在に装着するためのソケット６を有する。
【００２８】
図２に示すように、パッケージ１のラッチ機構１０は、ケージ４２の爪４３と係合する突起からなるロック部１１と、ロック部１１をパッケージ１内に没入させて爪４３とロック部１１との係合を解除するためのアクチュエータ１２とを有している。
【００２９】
アクチュエータ１２は、前後に延びる短冊状に形成され、ケージ４２の左右の爪４３の内側に位置されて、筐体２の左右両側にそれぞれ縦軸回りに揺動自在に設けられている。
【００３０】
図３に示すように、アクチュエータ１２は、後端（挿入方向側の端部）に上述したロック部１１が設けられる揺動部１３と、この揺動部１３を筐体に軸支する揺動軸１４と、揺動部１３の前端に設けられ、揺動部１３の後端側をパッケージ内方に揺動させることによりロック部１１をパッケージ内に没入させるための操作部１５とを有している。ロック部１１は、後側から爪４３の延出端に当接することでパッケージ１の前方への移動をロックするようになっている。また、揺動部１３は、揺動軸１４から前後に延びて形成されており、揺動軸１４から前方へ延びる揺動部１３の前端部に操作部１５を形成している。
【００３１】
また、図４（ａ）に示すように、筐体２には、アクチュエータ１２を操作するためのレバー３が設けられている。レバー３は、アクチュエータ１２の揺動軸１４と交差する方向の軸１６回りに回動自在に設けられており、そのレバー３には、レバー３を回動させるための補助レバー４が回動自在に設けられている。さらにレバー３には、アクチュエータ１２の操作部１５を筐体２の外方に押し出すための突起５が軸１６の径方向に延出して形成されている。突起５は回動先端から基端側へ向かうにつれて筐体の外側へ張り出すようにテーパ状に形成されており、レバー３が回動することで筐体２と操作部１５との間に下方から入って操作部１５を筐体２の外方へ押すように構成されている。
【００３２】
次に、図１に示したラッチ機構の作用を説明する。
【００３３】
図６（ａ）に示すように、パッケージ１をケージ４２に挿入すると、ケージ４２の爪４３がアクチュエータ１２に設けられたロック部１１と係合して、パッケージ１がケージ４２にロックする。
【００３４】
そして、パッケージ１をケージ４２から抜き出す際には、図４（ｂ）に示すように、レバー３を手前（前方）に回動させ、突起５をアクチュエータ１２の操作部１５の内側に挿入させる。これにより、操作部１５が筐体２の外方に押し出され、図５及び図６（ｂ）に示すように、ロック部１１が矢印方向（パッケージ１の内方）に移動して筐体２内に没入され、爪４３とロック部１１とのロックが解除される。さらに図６（ｃ）に示すように、この状態でパッケージ１をケージ４２から引き抜くと、ケージ４２の爪４３が筐体２の側面に沿って移動するので、図６（ｄ）に示すようにパッケージ１をケージ４２から抜き出すことができる。このように、本実施の形態にあっては、アクチュエータ１２によりロック部１１を筐体２内に引っ込めてロックを解除した後、パッケージ１をケージ４２から引き抜くので、アクチュエータ１２と爪４３との間に摩擦力が発生せず、アクチュエータ１２が破損することがない。
【００３５】
次に、本発明の他の実施の形態について詳述する。
【００３６】
図７は本発明の他の実施の形態を示すラッチ機構を有するパッケージの斜視図である。
【００３７】
図７に示すように、光送受信器であるパッケージ１０１は、通信機器の基板４１に設けられたケージ４２に挿抜自在に挿入された後、ロックできるようにラッチ機構２０を有している。
【００３８】
ケージ４２は、前方からパッケージ１０１を挿抜できるように、前方が開放された前後に長い箱形に形成されている。ケージ４２の左右両側には、内部に挿入されたパッケージ１０１の後述するロック部に引っ掛かってパッケージ１０１の抜き方向の移動を規制するための爪４３がそれぞれ形成されている。爪４３は、ケージ４２の左右の側面が一部切り込まれ後方へ延びると共にケージ４２の内方に向かって傾斜した板バネで形成されている。
【００３９】
パッケージ１０１は、挿抜方向（前後方向）に長い略直方体状でかつケージ４２に挿抜されたときに爪４３が滑らかに摺動する幅に形成された筐体１０２を有している。筐体１０２は、抜き方向の端（前端）に光ファイバコネクタ（図示せず）を着脱自在に装着するためのソケット１０６を有する。さらに筐体１０２の両側にはケージ４２の爪４３を受け入れてその爪４３と係合する窪みからなるロック部２１が設けられている。
【００４０】
図８に示すように、パッケージ１０１のラッチ機構２０は、そのロック部２１と、爪４３をパッケージ１０１の外方に押し出して係合を解除するためのアクチュエータ２２とを有している。
【００４１】
図９に示すように、アクチュエータ２２は、筐体の両側にそれぞれ前後にスライド自在に設けられ、前後に延びる短冊状のスライド部２３を有している。
【００４２】
このスライド部２３の後端には、それぞれ窪み（ロック部２１）内に入っている爪を窪みの外に掻き出すため、爪の内面に沿って傾斜するテーパ面２４が形成されたテーパ部２５が設けられており、また、スライド部２３の前端には、スライド部２３の前端同士を接続し、テーパ部２５をパッケージの挿抜方向に押圧することにより爪をパッケージの外方に押し出すための押圧部２６が設けられている。
【００４３】
図１０（ａ）に示すように、アクチュエータ２２は、テーパ部２５がロック部２１の手前の位置から、図１０（ｂ）に示すように、テーパ部２５がロック部２１を通過する位置までスライドできるように、取り付けられている。
【００４４】
次に、図７に示したラッチ機構の作用を説明する。
【００４５】
図１２（ａ）に示すように、パッケージ１０１をケージ４２に挿入すると、ケージ４２の爪４３が筐体１０２に設けられたロック部２１と係合して、パッケージ１０１がケージ４２にロックする。
【００４６】
そして、パッケージ１０１をケージ４２から抜き出す際には、図１０（ｂ）に示したように、アクチュエータ２２の押圧部２５をパッケージ１０１の挿入方向に押し込む。これにより、図１１及び図１２（ｂ）に示すように、テーパ部２５が爪４３の内面に当接した後、その爪４３がテーパ部２５により押し広げられて、爪４３とロック部２１とのロックが解除される。さらに図１２（ｃ）に示すように、この状態でパッケージ１０１をケージ４２から引き抜くと、ケージ４２の爪４３が筐体１０２の側面に沿って移動するので、パッケージ１０１をケージ４２から抜き出すことができる。
【００４７】
このように、本実施の形態にあっては、アクチュエータ２２によりテーパ部２５をパッケージ１０１の挿抜方向に押圧し、爪４３をパッケージ１０１の外方に押し出してロックを解除した後、パッケージ１０１をケージ４２から引き抜くので、アクチュエータ２２と爪４３との間に大きな摩擦力が発生せず、テーパ部２５に傷が付きにくくなる。
【００４８】
次に、本発明の他の実施の形態について詳述する。
【００４９】
図１３は本発明の他の実施の形態を示すラッチ機構を有するパッケージの斜視図である。
【００５０】
図１３に示すように、光送受信器であるパッケージ２０１は、通信機器の基板４１に設けられたケージ４２に挿抜自在に挿入された後、ロックできるようにラッチ機構３０を有している。
【００５１】
ケージ４２は、前方からパッケージ２０１を挿抜できるように、前方が開放された前後に長い箱形に形成されている。ケージ４２の左右両側には、内部に挿入されたパッケージ２０１の後述するロック部に引っ掛かってパッケージ２０１の抜き方向の移動を規制するための爪４３がそれぞれ形成されている。爪４３は、ケージ４２の左右の側面が一部切り込まれ後方へ延びると共にケージ４２の内方に向かって傾斜した板バネで形成されている。
【００５２】
パッケージ２０１は、挿抜方向（前後方向）に長い略直方体状でかつケージ４２に挿抜されたときに爪４３が滑らかに摺動する幅に形成された筐体２０２を有している。筐体２０２は、抜き方向の端（前端）に光ファイバコネクタ（図示せず）を着脱自在に装着するためのソケット２０６を有する。さらに筐体２０２の両側にはケージ４２の爪４３を受け入れてその爪４３と係合する窪みからなるロック部３１が設けられている。
【００５３】
図１４に示すように、アクチュエータ３２は、前後に延びる短冊状に形成され、ケージ４２の左右の爪４３の内側に位置されて、筐体２０２の左右両側にそれぞれ縦軸回りに揺動自在に設けられている。
【００５４】
図１５に示すように、アクチュエータ３２は、ロック部と係合した爪の内側に配置される揺動部３３と、揺動部３３を軸支する揺動軸３４と、揺動部３３の後端をパッケージの外方に揺動させることにより爪をパッケージの外方に押し出すためアクチュエータ３２の前端に設けられたつまみからなる操作部３５とを有している。
【００５５】
次に、図１３に示したラッチ機構の作用を説明する。
【００５６】
図１７（ａ）に示すように、パッケージ２０１をケージ４２に挿入すると、ケージ４２の爪４３が筐体２０２に設けられたロック部３１と係合して、パッケージ２０１がケージ４２にロックする。
【００５７】
そして、パッケージ２０１をケージ４２から抜き出す際には、図１３、図１６及び図１７（ｂ）に示すように、それぞれのアクチュエータ３２の操作部３５を指でつまみ、操作部３５同士の間隔を押し狭めることにより、揺動部３３の後端が爪４３の内面に当接し、さらに押し狭めることで、爪４３がロック部３１から矢印方向（パッケージ２０１の外方）に押し出されて、爪４３とロック部３１とのロックが解除される。さらに図１７（ｃ）に示すように、この状態でパッケージ２０１をケージ４２から引き出すと、ケージ４２の爪４３が筐体２０２の側面に沿って移動するので、図１７（ｄ）に示すようにパッケージ２０１をケージ４２から引き抜くことができる。
【００５８】
このように、本実施の形態にあっては、アクチュエータ３２により爪４３を内側から押圧することでロック部３１から爪４３を押し出してロックを解除した後、パッケージ２０１をケージ４２から引き抜くので、アクチュエータ３２と爪４３との間に摩擦力が発生せず、アクチュエータ３２が破損することがない。
【００５９】
尚、本実施の形態では、図４（ａ）、（ｂ）のアクチュエータ１２の操作部１５は、レバー３に設けられた突起５により操作されるように構成されているが、指により押し広げられるつまみで構成されていても良い。また、図１３及び図１５のアクチュエータ３２の操作部３５は、指により押し狭められるつまみで構成されているが、図１に示したようなレバー３と突起５が設けられた筐体２を用い、この突起５により操作されるように構成されていても良い。
【００６０】
【発明の効果】
以上要するに本発明によれば、ケージの爪と光送受信器のロック部とのロックを解除する時にアクチュエータが破損するのを防止できる。
【図面の簡単な説明】
【図１】本発明の一実施の形態を示すラッチ機構を有するパッケージの斜視図である。
【図２】図１の要部拡大図である。
【図３】図１のラッチ機構を構成するアクチュエータの斜視図である。
【図４】（ａ）はロック締結時のパッケージの側面図であり、（ｂ）はロック解除時のパッケージの側面図である。
【図５】図１のパッケージのロックを解除した状態の要部拡大図である。
【図６】（ａ）から（ｄ）はパッケージのロックの解除方法を説明するための説明図である。
【図７】本発明の他の実施の形態を示すラッチ機構を有するパッケージの斜視図である。
【図８】図７の要部拡大図である。
【図９】図７のラッチ機構を構成するアクチュエータの斜視図である。
【図１０】（ａ）はロック締結時のパッケージの側面図であり、（ｂ）はロック解除時のパッケージの側面図である。
【図１１】図７のパッケージのロックを解除した状態の要部拡大図である。
【図１２】（ａ）から（ｃ）はパッケージのロックの解除方法を説明するための説明図である。
【図１３】本発明の他の実施の形態を示すラッチ機構を有するパッケージの斜視図である。
【図１４】図１３の要部拡大図である。
【図１５】図１３のラッチ機構を構成するアクチュエータの斜視図である。
【図１６】図１３のパッケージのロックを解除した状態の要部拡大図である。
【図１７】（ａ）から（ｄ）はパッケージのロックの解除方法を説明するための説明図である。
【図１８】パッケージを通信機器に装着した状態の斜視図である。
【図１９】従来のパッケージをケージから引き出した状態の斜視図である。
【図２０】図１９の要部拡大図である。
【図２１】（ａ）はケージの爪に係合されたロック部の斜視断面図であり、（ｂ）は（ａ）の要部拡大図である。
【図２２】（ａ）はケージの爪から解離されたロック部の斜視断面図であり、（ｂ）は（ａ）の要部拡大図である。
【符号の説明】
１  パッケージ（光送受信器）
１０  ラッチ機構
１１  ロック部
１２  アクチュエータ
１３  揺動部
１４  揺動軸
１５  操作部
２０  ラッチ機構
２１  ロック部
２２  アクチュエータ
２３  スライド部
２５  テーパ部
２６  押圧部
３０  ラッチ機構
３１  ロック部
３２  アクチュエータ
３３  揺動部
３４  揺動軸
３５  操作部
４２  ケージ
４３  爪
【図１】
2004356427.tif 000003
【図２】
2004356427.tif 000004
【図３】
2004356427.tif 000005
【図４】
2004356427.tif 000006
【図５】
2004356427.tif 000007
【図６】
2004356427.tif 000008
【図７】
2004356427.tif 000009
【図８】
2004356427.tif 000010
【図９】
2004356427.tif 000011
【図１０】
2004356427.tif 000012
【図１１】
2004356427.tif 000013
【図１２】
2004356427.tif 000014
【図１３】
2004356427.tif 000015
【図１４】
2004356427.tif 000016
【図１５】
2004356427.tif 000017
【図１６】
2004356427.tif 000018
【図１７】
2004356427.tif 000019
【図１８】
2004356427.tif 000020
【図１９】
2004356427.tif 000021
【図２０】
2004356427.tif 000022
【図２１】
2004356427.tif 000023
【図２２】
2004356427.tif 000024